(57)【要約】  本発明は、内層が溶接可能な、フレキシブルな多層のシートから成る側方ひだ付きバッグであって、該側方ひだ付きバッグが、充填物をバッグに充填する前又は充填した後に閉鎖されるボトム側端部、閉鎖装置を備えたトップ側端部及び両側で、バッグ正面壁（１）とバッグ背面壁（２）を形成する両バッグ壁の間に折り込まれた側方ひだ（３；４）を備えており、これらの側方ひだが、ボトム側端部からトップ側端部に向かって延びており且つバッグ壁（１；２）の上縁部（５）の下位に間隔をあけて終わっており、バッグ壁（１；２）が、側方ひだ（３；４）と溶接されており且つ側方ひだの無いバッグトップ域において当該バッグ壁の縁部に沿って互いに溶接されており、側方ひだ（３；４）の上端部域（１２）が、ボトム側端部に向かって斜め内側下方に延びる折返し線（１３）を中心として一方のバッグ壁（１；２）に対して折り返されており、折り返された端部域（１２）の内面が、隣接する側方ひだ半部の内面と溶接されて、当該の折り返された端部域（１２）のトップ側の縁部（１７）が閉じられている形式のものにおいて、側方ひだの折り返された端部域（１２）の外面が、隣接するバッグ壁と面状に溶接されており、側方ひだ（３；４）の折り返された端部域（１２）に隣接する側方ひだ半部の領域（１６）も、やはり隣接するバッグ壁（１；２）と面状に溶接されており、この溶接結合部（１４，１５，１６）が、側方ひだ（３；４）の折り返された端部域（１２）の縁部（１７）を封入していることを特徴とする。
2007534569.tif 000002
【特許請求の範囲】
【請求項１】
内層が溶接可能な、フレキシブルな多層のシートから成る側方ひだ付きバッグであって、該側方ひだ付きバッグが、充填物をバッグに充填する前又は充填した後に閉鎖されるボトム側端部、閉鎖装置を備えたトップ側端部及び両側で、バッグ正面壁（１）とバッグ背面壁（２）を形成する両バッグ壁の間に折り込まれた側方ひだ（３；４）を備えており、これらの側方ひだが、ボトム側端部からトップ側端部に向かって延びており且つバッグ壁（１；２）の上縁部（５）の下位に間隔をあけて終わっており、バッグ壁（１；２）が、側方ひだ（３；４）と溶接されており且つ側方ひだの無いバッグトップ域において当該バッグ壁の縁部に沿って互いに溶接されており、側方ひだ（３；４）の上端部域（１２）が、ボトム側端部に向かって斜め内側下方に延びる折返し線（１３）を中心として一方のバッグ壁（１；２）に対して折り返されており、折り返された端部域（１２）の内面が、隣接する側方ひだ半部の内面と溶接されて、当該の折り返された端部域（１２）のトップ側の縁部（１７）が閉じられている形式のものにおいて、側方ひだの折り返された端部域（１２）の外面が、隣接するバッグ壁と面状に溶接されており、側方ひだ（３；４）の折り返された端部域（１２）に隣接する側方ひだ半部の領域（１６）も、やはり隣接するバッグ壁（１；２）と面状に溶接されており、この溶接結合部（１４，１５，１６）が、側方ひだ（３；４）の折り返された端部域（１２）の縁部（１７）を封入していることを特徴とする、側方ひだ付きバッグ。
【請求項２】
側方ひだ（３；４）の端部域（１２）がバッグ背面壁（２）に向かって折り返されている、請求項１記載の側方ひだ付きバッグ。
【請求項３】
バッグのトップ側端部に再閉鎖装置（８；１８）が設けられており、該再閉鎖装置が側方ひだ（３；４）の折り返された端部域（１２）の上位に間隔をあけてバッグ幅にわたって延びている、請求項１記載の側方ひだ付きバッグ。
【請求項４】
再閉鎖装置（１８）として３層の閉鎖ストリップが設けられており、該閉鎖ストリップの外層が、隣接するバッグ壁の内面と溶接されており、中間層が凝集破壊によって２つの部分層に分離可能であり、これらの部分層を重ね合わせると、再び付着結合状態に移行する、請求項３記載の側方ひだ付きバッグ。
【発明の詳細な説明】
【技術分野】
【０００１】
本発明は、請求項１の上位概念に記載した構成の、内層が溶接可能な、フレキシブルな多層のシートから成る側方ひだ付きバッグに関する。
【０００２】
このような形式の公知のバッグ（ドイツ連邦共和国実用新案第２００１７１８２号明細書）では、端部域を折り返し且つ折り返された端部域を隣接する側方ひだ半部に固定することにより付加的に改善されるシールを生ぜしめるために、側方ひだ半部の外面が上縁部に沿って結合されている。
【０００３】
本発明の課題は、側方ひだの上端部のシールを更に改良することである。この課題は、請求項１の特徴部に記載の構成を有する側方ひだ付きバッグによって解決される。別の構成については請求項２〜４を参照されたい。
例えば溶接又は接着により、側方ひだの上縁部に沿って特別な閉鎖部が設けられなくても、側方ひだの上端部域を折り返した後で、上縁部が溶接結合域に埋設されることにより、側方ひだの上端部において完全且つ確実なシールが生ぜしめられるということが保証されている。それというのも、前記溶接結合域が付加的な手段とは関係無く、側方ひだの上縁部の確実な閉鎖をもたらす完全なシールを形成するからである。同時に、側方ひだ領域をバッグ壁、有利にはバッグ背面壁と結合することにより、側方ひだの上端部が最早不都合に充填空間内へ突出しないということが保証されている。
【０００４】
以下に、本発明の実施例を図面につき詳しく説明する。
【０００５】
図示の側方ひだ付きバッグは、有利には熱可塑性プラスチック製のフレキシブルな多層の、少なくとも２層のシートから成っている。このシートの内層は溶接可能であり、例えばポリエチレン又はポリプロピレン等のポリオレフィンから成っている。外側には単数又は複数の層が続いていてよく、これらの層は要求された特性に応じて、例えばそれ自体は溶接不能であるが、高い強度及び良好な印刷性を提供するアルミニウムシート等の金属シート及び／又はポリエステル層によって形成されていてよい。
【０００６】
図示のバッグは正面壁１、この正面壁１に合致する背面壁２及びこれらの正面壁１と背面壁２との間に折り込まれた側方ひだ３，４を有しており、これらの側方ひだ３，４はバッグのボトム側端部（図示せず）からトップ側端部に向かって延びており、この場合、バッグ壁１，２の上縁部５の下位に間隔をあけて終わっている。バッグ壁１，２は、側方ひだ３，４と溶接されており且つ側方ひだの無いバッグトップ域において、当該バッグ壁の縁部に沿って縁部側の長手方向溶接シーム６，７を介して互いに溶接されている。
ボトム側端部も横方向溶接シーム（図示せず）によって閉鎖され、このことは充填物をバッグに充填する前又は充填した後に行われる。
【０００７】
バッグのトップ側端部の領域には一般に、充填物をバッグに充填する前又は充填した後に付与される、溶接シームによって形成可能な閉鎖装置が設けられている。この閉鎖装置は、図１及び図２に示した実施例において押圧閉鎖帯により溝とキーの形式で形成された再閉鎖装置から成っていてもよい。詳細には、この再閉鎖装置８はバッグ幅にわたって延びる２つの閉鎖帯９，１０から成っており、これらの閉鎖帯９，１０の内の一方はバッグ正面壁１に、他方はバッグ背面壁２に溶接若しくはヒートシールによって固定されている。閉鎖帯９，１０はそれぞれ係止部材１１を支持しており、これらの係止部材１１は押圧により相互係合状態に移行可能であり且つ適当に引っ張ると相互係合状態が解除される。
【０００８】
両側方ひだ３，４の上端部域１２は、内側に向かって斜め下方に延びるひだ縁部１３に沿って折り返されており、この場合、この折返しはバッグ正面壁１又はバッグ背面壁２に向けられていてよい。側方ひだ３，４の折り返された端部域１２は、直角三角形の形状を有しており且つ当該の折り返された端部域１２にそれぞれ面した側方ひだ３，４の半部と、図２、図４及び図５に概略的に示した溶接シーム１４を介して溶接によって結合されている。更に、折り返された端部域１２の外面は、隣接するバッグ壁（図示の実施例ではバッグ背面壁２）と、やはり図２、図４及び図５に概略的に示した溶接シーム１５を介して溶接されている。更に、側方ひだ３，４の折り返された端部域１２に隣接した、等辺の側方ひだ半部の領域１６も隣接したバッグ壁２と面状に溶接されているので、この溶接結合領域は折り返された端部域１２の上縁部１７を封入している。
【０００９】
これにより、側方ひだ３，４の重なり合った外面に、上縁部１７に沿って更に付加的に例えば接着閉鎖部等の閉鎖部が設けられているか否かには関わらず、側方ひだ３，４の上端部が完全に密閉されているということが保証されている。
【００１０】
図３〜図５に示したバッグ構成では、バッグのトップ域に再閉鎖装置１８が設けられており、この再閉鎖装置１８はバッグの全幅にわたって延在する３層の閉鎖ストリップとして形成されている。両外層１９，２０は、それぞれ隣接するバッグ壁１；２の内面と溶接されており、この様子は溶接結合部２１，２２によって象徴的に示されている。中間層２３は、合成樹脂又はプラスチックベースの、持続して付着可能若しくは持続して接着可能な材料から成っており、この材料は、バッグ壁１，２を引き離すことにより当該の中間層２３に引っ張り力が加えられると凝集破壊によって２つの部分層に分離可能である。充填物を取り出した後、分離された両部分層は互いに押し合わされることにより再び１つの閉じられた中間層２３を成すように接合され得る。その他の点においては、図３〜図５に示した実施例は図１及び図２に示したバッグ構成に対応している。
【図面の簡単な説明】
【００１１】
【図１】本発明によるバッグの上端部域を折り畳んで示した図である。
【図２】図１に示したＩＩ−ＩＩ線にほぼ沿った断面図である。
【図３】バッグの１変化実施例を図１と同様に示した図である。
【図４】図３のＩＶ−ＩＶ線に沿った断面図である。
【図５】バッグのトップ側に設けられた再閉鎖装置が開けられた状態を示した、図４と同様の断面図である。
【図１】
2007534569.tif 000003
【図２】
2007534569.tif 000004
【図３】
2007534569.tif 000005
【図４】
2007534569.tif 000006
【図５】
2007534569.tif 000007
【国際調査報告】
2007534569.tif 000008
2007534569.tif 000009
2007534569.tif 000010
2007534569.tif 000011